【手続補正書】
【提出日】平成16年2月13日(2004.2.13)
【手続補正１】
【補正対象書類名】明細書
【補正対象項目名】特許請求の範囲
【補正方法】変更
【補正の内容】
【特許請求の範囲】
【請求項１】
複数の画素と、それら各画素部での光学特性を制御するための信号を入力可能な端子部と、を備えた複数の表示ブロックを、繋ぎ合わせるとともに、前記端子部を介して前記表示ブロック毎に並列に信号が入力されるようになっていることを特徴とする表示体。
【請求項２】
有機ＥＬ素子を含む複数の画素と、それら各画素部での発光状態を制御するための信号を入力可能な端子部と、を備えた複数の表示ブロックが、透明基板に、表示面がその透明基板側を向いて貼り付けられており、前記端子部を介して前記表示ブロック毎に並列に信号が入力されるようになっていることを特徴とする表示体。
【請求項３】
前記端子部を介して前記表示ブロック毎に並列に電源が供給されるようになっている請求項１又は請求項２記載の表示体。
【請求項４】
前記表示ブロック内で水平方向に延びる配線及び垂直方向に延びる配線のそれぞれの導通している端部を、各表示ブロックの一辺に集めることにより、前記端子部を前記表示ブロックの一辺のみに設けた請求項１乃至請求項３のいずれかに記載の表示体。
【請求項５】
前記端子部を、前記表示ブロックの外縁部分よりも裏面側に位置するように設けた請求項１乃至請求項４のいずれかに記載の表示体。
【請求項６】
前記表示ブロックは、電子回路要素が作り込まれた複数の微細構造物を基板上に配設した構成を有する請求項１乃至請求項５のいずれかに記載の表示体。
【請求項７】
前記微細構造物内に、前記画素の駆動回路が作り込まれている請求項６記載の表示体。
【請求項８】
水平方向に延びる配線及び垂直方向に延びる配線を備えた電子機器において、
前記水平方向に延びる配線及び垂直方向に延びる配線が交差する位置に対応して基板上に配設される複数の微細構造物を備え、
前記微細構造物内に、互いに非接触に交差する部分を含む前記水平方向に延びる配線及び垂直方向に延びる配線の一部分と、前記水平方向に延びる配線及び垂直方向に延びる配線のうちの一方に導通し、そのうちの他方と同方向に微細構造物から引き出される第１の方向変換用配線と、微細構造物内の他の配線には導通せず、前記第１の方向変換用配線と同方向で隣り合うように微細構造物から引き出される第２の方向変換用配線と、を設け、
水平方向で隣り合った微細構造物の前記水平方向に延びる配線同士を接続し、垂直方向で隣り合った微細構造物の前記垂直方向に延びる配線同士を接続し、さらに、隣り合った微細構造物の前記第１の方向変換用配線及び前記第２の方向変換用配線を選択的に接続することにより、前記水平方向に延びる配線及び前記垂直方向に延びる配線のそれぞれの導通している端部を、前記基板の一辺に集めたことを特徴とする電子機器。
【請求項９】
駆動回路が作り込まれた複数の微細構造物を基板上に配設し、前記微細構造物間を配線で接続し、さらに、その配線の端部に外部から信号を供給可能とした請求項８記載の電子機器。
【手続補正２】
【補正対象書類名】明細書
【補正対象項目名】０００６
【補正方法】変更
【補正の内容】
【０００６】
【課題を解決するための手段】
上記目的を達成するために、本発明である表示体は、複数の画素と、それら各画素部での光学特性を制御するための信号を入力可能な端子部と、を備えた複数の表示ブロックを、繋ぎ合わせるとともに、前記端子部を介して前記表示ブロック毎に並列に信号が入力されるようにした。なお、ここで言う「光学特性」とは、例えば液晶表示装置における液晶の透過率などのことを指す。


【手続補正３】
【補正対象書類名】明細書
【補正対象項目名】０００７
【補正方法】変更
【補正の内容】
【０００７】
また、本発明である表示体は、複数の画素と、それら各画素部での発光状態を制御するための信号を入力可能な端子部と、を備えた複数の表示ブロックを、水平方向及び垂直方向の少なくとも一方に連続するように繋ぎ合わせるとともに、前記端子部を介して前記表示ブロック毎に並列に信号が入力されるようにした。


【手続補正４】
【補正対象書類名】明細書
【補正対象項目名】０００８
【補正方法】変更
【補正の内容】
【０００８】
上記目的を達成するために、本発明である表示体は、有機ＥＬ素子を含む複数の画素と、それら各画素部での発光状態を制御するための信号を入力可能な端子部と、を備えた複数の表示ブロックが、透明基板に、表示面がその透明基板側を向いて貼り付けられており、前記端子部を介して前記表示ブロック毎に並列に信号が入力されるようにした。


【手続補正５】
【補正対象書類名】明細書
【補正対象項目名】０００９
【補正方法】変更
【補正の内容】
【０００９】
また、本発明は、上記本発明である表示体において、前記端子部を介して前記表示ブロック毎に並列に電源が供給されるようにした。
そして、本発明は、上記本発明である表示体において、前記表示ブロック内で水平方向に延びる配線及び垂直方向に延びる配線のそれぞれの導通している端部を、各表示ブロックの一辺に集めることにより、前記端子部を前記表示ブロックの一辺のみに設けた。


【手続補正６】
【補正対象書類名】明細書
【補正対象項目名】００１０
【補正方法】変更
【補正の内容】
【００１０】
本発明は、上記本発明である表示体において、前記端子部を、前記表示ブロックの外縁部分よりも裏面側に位置するように設けた。
さらに、本発明は、上記本発明である表示体において、前記表示ブロックは、電子回路要素が作り込まれた複数の微細構造物を基板上に配設した構成を有する。


【手続補正７】
【補正対象書類名】明細書
【補正対象項目名】００１１
【補正方法】変更
【補正の内容】
【００１１】
本発明は、上記本発明である表示体において、前記微細構造物内に、前記画素の駆動回路を作り込んだ。
一方、上記目的を達成するために、本発明は、水平方向に延びる配線及び垂直方向に延びる配線を備えた電子機器において、前記水平方向に延びる配線及び垂直方向に延びる配線が交差する位置に対応して基板上に配設される複数の微細構造物を備え、前記微細構造物内に、互いに非接触に交差する部分を含む前記水平方向に延びる配線及び垂直方向に延びる配線の一部分と、前記水平方向に延びる配線及び垂直方向に延びる配線のうちの一方に導通し、そのうちの他方と同方向に微細構造物から引き出される第１の方向変換用配線と、微細構造物内の他の配線には導通せず、前記第１の方向変換用配線と同方向で隣り合うように微細構造物から引き出される第２の方向変換用配線と、を設け、水平方向で隣り合った微細構造物の前記水平方向に延びる配線同士を接続し、垂直方向で隣り合った微細構造物の前記垂直方向に延びる配線同士を接続し、さらに、隣り合った微細構造物の前記第１の方向変換用配線及び前記第２の方向変換用配線を選択的に接続することにより、前記水平方向に延びる配線及び前記垂直方向に延びる配線のそれぞれの導通している端部を、前記基板の一辺に集めた。


【手続補正８】
【補正対象書類名】明細書
【補正対象項目名】００１２
【補正方法】変更
【補正の内容】
【００１２】
上記目的を達成するために、本発明は、上記本発明である電子機器において、駆動回路が作り込まれた複数の微細構造物を基板上に配設し、前記微細構造物間を配線で接続し、さらに、その配線の端部に外部から信号を供給可能とした。


【手続補正９】
【補正対象書類名】明細書
【補正対象項目名】００１３
【補正方法】変更
【補正の内容】
【００１３】
ここで、本発明にあっては、複数の表示ブロックを繋ぎ合わせて表示体が構成されるため、任意の寸法の表示体を容易に実現することができるし、各表示ブロックは連続するように繋ぎ合わせているから、表示ブロック間において映像が不連続になるようなことがない。しかも各表示ブロックには、端子部を介して表示ブロック毎に並列に信号が入力されるようになっているから、表示体の画素数が多くなっても走査が間に合わなくなるようなことがない。


【手続補正１０】
【補正対象書類名】明細書
【補正対象項目名】００１４
【補正方法】変更
【補正の内容】
【００１４】
また、本発明にあっては、画素が有機ＥＬ (electroluminescence）素子を含み、有機ＥＬ素子からの発光が外部に照射される表示面（一般的に、有機ＥＬ素子の陰極とは逆側の面）が透明基板側を向くように、各表示ブロックが透明基板に貼り付けられているため、透明基板を通じて各表示ブロックからの発光が外部に照射される。そして、各表示ブロックは、透明基板に貼り付けられることにより互いに連続するようになり、透明基板の裏面（表示ブロック貼付側とは逆側の面）側から見ることができる画像が各表示ブロック間で不連続になるようなことがないし、任意の寸法の表示体を容易に実現することができる。しかも、上記の発明と同様に、各表示ブロックに端子部を介して並列に信号が入力されるようになっているから、表示体の面積が大きくなっても走査が間に合わなくなるようなことがない。


【手続補正１１】
【補正対象書類名】明細書
【補正対象項目名】００１５
【補正方法】変更
【補正の内容】
【００１５】
さらに、本発明にあっては、表示ブロック毎に並列に電源が供給されるから、表示体全体に一括して電源を供給する構成とは異なり、表示体の面積が大きくなっても一部の画素において電源が不足するような事態を招かないで済む。
そして、本発明にあっては、端子部を表示ブロックの一辺のみに設けたため、表示ブロック同士を隙間なく連続させる上で都合がよい。即ち、通常の表示体にあっては、水平方向に延びる配線の端部と、垂直方向に延びる配線の端部とは、隣り合った二辺に分かれて位置しているため、同じような形状の表示体を連続させようとすると、配線の端部が邪魔になる可能性がある。これに対し、この発明では、表示ブロックの三辺の縁部分からは配線の端部を引き出す必要がないから、表示ブロックを一方向に連続するように繋ぎ合わせることが比較的容易に行える。


【手続補正１２】
【補正対象書類名】明細書
【補正対象項目名】００１６
【補正方法】変更
【補正の内容】
【００１６】
また、本発明であれば、端子部が表示ブロックの裏面側（表示面とは逆側の面）に位置している、換言すれば、端子部が表示ブロックの裏側にオフセットしているため、表示ブロックの画素が配設された部分の外縁全域が露出し、隣り合った表示ブロックの縁部分と密に接触して表示ブロック同士を連続させることができる。


【手続補正１３】
【補正対象書類名】明細書
【補正対象項目名】００１７
【補正方法】変更
【補正の内容】
【００１７】
なお、この発明においては、端子部内に、画素の駆動回路も内蔵させる構成とすれば、表示ブロックの表示面全体に画素を配置させることも容易になり、各表示ブロック同士を連続させた場合にその境目において画素の間隔が他の部分よりも極端に広がるようなことが避けられる。
一方、本発明は、微細構造物を利用して表示ブロックを構成しているため、表示ブロックの面積に対して電子回路の占める割合が小さい場合にも、半導体材料等に大きな無駄を発生するようなことを避けられる。


【手続補正１４】
【補正対象書類名】明細書
【補正対象項目名】００１９
【補正方法】変更
【補正の内容】
【００１９】
また、本発明では、微細構造物内に画素の駆動回路を作り込んだため、表示体の周辺部に配線の駆動回路を別途設ける必要がなくなる。
そして、本発明にあっては、微細構造物内に第１の方向変換用配線及び第２の方向変換用配線を設け、隣り合った微細構造物同士で、それら第１の方向変換用配線及び第２の方向変換用配線を選択的に接続するだけで、水平方向に延びる配線及び垂直方向に延びる配線のそれぞれの導通している端部を、基板の一辺に集めることができる。


【手続補正１５】
【補正対象書類名】明細書
【補正対象項目名】００２０
【補正方法】変更
【補正の内容】
【００２０】
つまり、上記の発明であれば、水平方向に延びる配線及び垂直方向に延びる配線の非接触に交差する部分は、微細構造物内に作り込んでおり、第１の方向変換用配線及び第２の方向変換用配線も微細構造物内に作り込んでおり、第１の方向変換用配線及び第２の方向変換用配線を隣り合った状態で微細構造物から引き出しているので、基板上で配線同士を非接触に交差させる必要がない、より具体的には、基板上の配線を多層配線とする必要がないのである。


【手続補正１６】
【補正対象書類名】明細書
【補正対象項目名】００２１
【補正方法】変更
【補正の内容】
【００２１】
なお、本発明を適用可能な電子機器は、水平方向に延びる配線及び垂直方向に延びる配線を備えた電子機器であればよく、例えば、上に記載したような表示体（有機ＥＬ表示体、液晶表示体等）を備えた各種機器、センサーアレイ、タッチパッド、指紋認識装置、ディジタルカメラ等が考えられる。
そして、本発明にあっては、微細構造物内に駆動回路を作り込んでいるため、電子機器の周辺部に駆動回路を別途設ける必要がなくなる。


【手続補正１７】
【補正対象書類名】明細書
【補正対象項目名】００２２
【補正方法】変更
【補正の内容】
【００２２】
また、本発明を適用可能な電子機器としては、例えば、上に記載したような表示体（有機ＥＬ表示体、液晶表示体等）を備えた各種機器、センサーアレイ、タッチパッド、指紋認識装置、ディジタルカメラ等が考えられる。


【手続補正１８】
【補正対象書類名】明細書
【補正対象項目名】００５３
【補正方法】変更
【補正の内容】
【００５３】
【発明の効果】
以上説明したように、本発明によれば、表示ブロックを水平方向及び垂直方向の少なくとも一方に連続させて精細でしかも大型の表示体を容易に実現できるという効果がある。
また、本発明によれば、微細構造物内に第１の方向変換用配線および第２の方向変換用配線を設け、それらを選択的に接続するようにしたから、水平方向に延びる配線及び垂直方向に延びる配線を容易に一辺に集めることができるという効果がある。


【手続補正１９】
【補正対象書類名】明細書
【補正対象項目名】００５４
【補正方法】変更
【補正の内容】
【００５４】
さらに、本発明によれば、微細構造物内に駆動回路を作り込んだため、基板の周囲に駆動回路を別途設けなくて済むという効果がある。